(57)【特許請求の範囲】
【請求項１】
ユーザーごとのデータを示すユーザーデータと、付与対象画像を生成するための画像データと、前記ユーザーごとの付与対象物の状態を示す状態データと、前記状態データの更新履歴に関する履歴データを記憶する記憶部と、
第２のユーザーに前記付与対象物を付与する状態になったかどうかを判定する判定部と、
前記付与対象物を付与する状態になっていない場合に、第１のユーザーの端末装置からの前記付与対象物の加工に関する操作情報に基づき、前記状態データと前記履歴データを更新する更新部と、
前記ユーザーデータと、前記画像データと、前記状態データと、前記履歴データとに基づき、前記付与対象物を示す画像情報と前記付与対象物の加工履歴を示す画像情報を生成する情報生成部と、
前記付与対象物を付与する状態になった場合に、前記第２のユーザーの端末装置に前記付与対象物を示す画像情報を送信する通信部と、を含み、
前記通信部は、
前記ユーザーの端末からの操作情報に応じて、前記付与対象物の加工履歴を示す画像情報を送信する、
情報提供装置。
【請求項２】
請求項１に記載の情報提供装置において、
前記情報生成部は、
前記付与対象物を付与する状態になっていない場合に、前記ユーザーデータと、前記画像データと、前記状態データと、前記履歴データとに基づき、前記第１のユーザーに対し、前記付与対象物に対し加工を行ったユーザーを示す画像情報を生成する
情報提供装置。
【請求項３】
請求項１又は２に記載の情報提供装置において、
前記情報生成部は、
前記付与対象物を付与する状態になっていない場合に、前記第１のユーザーの前記ユー
ザーデータに基づき、前記第１のユーザーが前記付与対象物に対し加工可能アイテムを決定する、
情報提供装置。
【請求項４】
請求項１乃至３のいずれかに記載の情報提供装置において、
前記付与対象物を示す画像情報は、プレゼントを示す画像であって、
前記判定部は、前記プレゼントごとに当該プレゼントに対して前記操作情報を送信したユーザーの人数をカウントし、
前記更新部は、当該人数が第１の基準値より多いという条件および前記グループにおける全ユーザー数に対する当該人数の割合が第２の基準値より多いという条件の少なくとも一方の条件である人数条件を満たす場合、当該人数条件を満たさない場合と比べて加工に関するパラメーター値が増加するように前記状態データを更新する、
情報提供装置。
【請求項５】
ユーザーごとのデータを示すユーザーデータと、付与対象画像を生成するための画像データと、前記ユーザーごとの付与対象物の状態を示す状態データと、前記状態データの更新履歴に関する履歴データを記憶する記憶部と、
第２のユーザーに前記付与対象物を付与する状態になったかどうかを判定する判定部と、
前記付与対象物を付与する状態になっていない場合に、第１のユーザーの端末装置からの前記付与対象物の加工に関する操作情報に基づき、前記状態データと前記履歴データを更新する更新部と、
前記ユーザーデータと、前記画像データと、前記状態データと、前記履歴データとに基づき、前記付与対象物を示す画像情報と前記付与対象物の加工履歴を示す画像情報を生成する情報生成部と、
前記付与対象物を付与する状態になった場合に、前記第２のユーザーの端末装置に前記付与対象物を示す画像情報を送信する通信部と、してコンピュータを機能させ、
前記通信部は、
前記ユーザーの端末からの操作情報に応じて、前記付与対象物の加工履歴を示す画像情報を送信する、
プログラム。
【請求項６】
ユーザーごとのデータを示すユーザーデータと、付与対象画像を生成するための画像データと、前記ユーザーごとの付与対象物の状態を示す状態データと、前記状態データの更新履歴に関する履歴データを記憶する記憶部と、通信部と、処理部とを含むシステムにおける情報提供方法であって、
前記処理部は、第２のユーザーに前記付与対象物を付与する状態になったかどうかを判定し、
前記通信部は、前記付与対象物を付与する状態になっていない場合に、第１のユーザーの端末装置から前記付与対象物の加工に関する操作情報を受信し、
前記処理部は、
前記操作情報に基づき、前記状態データと前記履歴データを更新し
前記ユーザーデータと、前記画像データと、前記状態データと、前記履歴データとに基づき、前記付与対象物を示す画像情報と前記付与対象物の加工履歴を示す画像情報を生成し、
前記通信部は、
前記付与対象物を付与する状態になった場合に、前記第２のユーザーの端末装置に前記付与対象物を示す画像情報を送信し、
前記ユーザーの端末からの操作情報に応じて、前記付与対象物の加工履歴を示す画像情報を送信する、
情報提供方法。
【発明の詳細な説明】
【技術分野】
【０００１】
本発明は、情報提供装置、プログラムおよび情報提供方法に関する。
【背景技術】
【０００２】
近年、ｍｉｘｉ（登録商標）等の種々のＳＮＳ（Social Networking Service）が提供されている。ＳＮＳでは、各ユーザーは、自分の誕生日等を登録し、友人グループに所属する他のユーザーに対して自分の誕生日等を公開する設定を行う場合がある。一般的に、各ユーザーは、友人グループに所属する他のユーザーの誕生日になった際に、自分で電子メールを作成して祝福メッセージを通知していた。
【０００３】
また、例えば、特開２００１−３３８０４５号公報に記載されているように、祝賀対象者の誕生日を含む個人情報を記憶管理し、現在の日付と当該個人情報に基づいて誕生日に近づいたかどうかを判別し、誕生日に近づいた場合に祝賀対象者を特定して申し込み者の端末に通知することが提案されている。
【先行技術文献】
【特許文献】
【０００４】
【特許文献１】特開２００１−３３８０４５号公報
【発明の概要】
【発明が解決しようとする課題】
【０００５】
しかし、特開２００１−３３８０４５号公報の手法は、グループとは無関係に各ユーザーが祝賀対象者に祝福を行う手法であるため、そのままＳＮＳに適用しても、ＳＮＳを十分に活用することができない。
【０００６】
本発明にかかるいくつかの態様は、上記課題を解決することにより、加工操作を反映した付与対象画像を提供することが可能な情報提供装置、プログラムおよび情報提供方法を提供するものであり、特に、グループに所属する各ユーザーが協力して誕生日等におけるプレゼントに対する装飾操作を行い、当該装飾操作を反映したプレゼント画像を提供することが可能な情報提供装置、プログラムおよび情報提供方法を提供するものである。
【課題を解決するための手段】
【０００７】
本発明の態様の１つである情報提供装置は、ユーザーごとのデータを示すユーザーデータと、付与対象画像を生成するための画像データと、前記ユーザーごとの付与対象物の状態を示す状態データとを記憶する記憶部と、所定のユーザーに前記付与対象物を付与する状態になったかどうかを判定する判定部と、前記付与対象物を付与する状態になっていない場合に、第１のユーザーの端末装置からの前記付与対象物の加工に関する操作情報に基づき、前記状態データを更新する更新部と、前記付与対象物を付与する状態になった場合に、前記ユーザーデータと、前記画像データと、前記状態データとに基づき、前記付与対象物を付与する対象である第２のユーザーに対し、前記付与対象物を示す画像情報を生成する情報生成部と、前記第１のユーザーの端末装置から前記操作情報を受信するとともに、前記第２のユーザーの端末装置に前記画像情報を送信する通信部と、を含むことを特徴とする。
【０００８】
また、本発明の態様の１つであるプログラムは、ユーザーごとのデータを示すユーザーデータと、付与対象画像を生成するための画像データと、前記ユーザーごとの付与対象物の状態を示す状態データとを記憶する記憶部と、通信部とを含むコンピューターを、所定のユーザーに前記付与対象物を付与する状態になったかどうかを判定する判定部と、前記付与対象物を付与する状態になっていない場合に、第１のユーザーの端末装置からの前記付与対象物の加工に関する操作情報に基づき、前記状態データを更新する更新部と、前記付与対象物を付与する状態になった場合に、前記ユーザーデータと、前記画像データと、前記状態データとに基づき、前記付与対象物を付与する対象である第２のユーザーに対し、前記付与対象物を示す画像情報を生成する情報生成部と、前記通信部に対して、前記第１のユーザーの端末装置から前記操作情報を受信させるとともに、前記第２のユーザーの端末装置に前記画像情報を送信させる通信制御部として機能させることを特徴とする。
【０００９】
また、本発明の態様の１つである情報提供方法は、ユーザーごとのデータを示すユーザーデータと、付与対象画像を生成するための画像データと、前記ユーザーごとの付与対象物の状態を示す状態データとを記憶する記憶部と、通信部と、処理部とを含むシステムにおける情報提供方法であって、前記処理部は、所定のユーザーに前記付与対象物を付与する状態になったかどうかを判定し、前記通信部は、前記付与対象物を付与する状態になっていない場合に、第１のユーザーの端末装置から前記付与対象物の加工に関する操作情報を受信し、前記処理部は、前記操作情報に基づき、前記状態データを更新し、前記プレゼントを付与する状態になった場合に、前記ユーザーデータと、前記画像データと、前記状態データとに基づき、前記プレゼントを付与する対象である第２のユーザーに対し、前記付与対象物を示す画像情報を生成し、前記通信部は、前記第２のユーザーの端末装置に前記画像情報を送信することを特徴とする。
【００１０】
本発明によれば、情報提供装置等は、各ユーザーの加工操作に応じて状態データを更新し、当該状態データに応じてプレゼント画像を生成することができる。これにより、各ユーザーは、協力して誕生日等におけるプレゼントに対する加工操作を行い、当該加工操作を反映したプレゼント画像を提供対象のユーザーに提供することができる。
【００１１】
また、前記ユーザーデータは、所定のグループに所属するユーザーごとの設定日を示すデータを含み、前記プレゼント画像は、前記設定日に関するプレゼントを示す画像であって、前記判定部は、現実の日時に基づき、前記設定日に関する条件である設定日条件に該当するユーザーを判定するとともに、当該ユーザーに前記プレゼントを付与する状態になったかどうかを判定してもよい。
【００１２】
これによれば、情報提供装置等は、グループに所属する各ユーザーの加工操作に応じて状態データを更新し、当該状態データに応じてプレゼント画像を生成することができる。これにより、グループに所属する各ユーザーは、協力して誕生日等におけるプレゼントに対する加工操作を行い、当該加工操作を反映したプレゼント画像を提供対象のユーザーに提供することができる。
【００１３】
また、前記ユーザーデータは、ユーザーごとの付与条件を示す付与条件データを含み、前記判定部は、前記付与条件データに基づき、前記付与対象物を付与する状態になったかどうかを判定してもよい。
【００１４】
これによれば、情報提供装置等は、ユーザーごとの付与条件に応じて付与対象物を付与する状態になったかを判定することができる。
【００１５】
また、前記判定部は、前記プレゼントごとに当該プレゼントに対して前記操作情報を送信したユーザーの人数をカウントし、前記更新部は、当該人数が第１の基準値より多いという条件および前記グループにおける全ユーザー数に対する当該人数の割合が第２の基準値より多いという条件の少なくとも一方の条件である人数条件を満たす場合、当該人数条件を満たさない場合と比べて加工に関するパラメーター値が増加するように前記状態データを更新してもよい。
【００１６】
これによれば、情報提供装置等は、加工操作を行った人数が多いほど加工に関するパラメーター値を増加させることができるため、各ユーザーに加工操作を行わせる誘因を与えることができる。
【００１７】
また、前記操作情報は、前記プレゼントに付加する装飾物の選択を示す情報を含み、前記画像情報は、当該装飾物の付加された前記プレゼントを示す画像情報を含んでもよい。
【００１８】
これによれば、情報提供装置等は、装飾操作に応じて装飾物の付加されたプレゼントを示すプレゼント画像を提供することができる。
【００１９】
また、前記操作情報は、前記第１のユーザーが当該ユーザーの端末装置を用いて入力したメッセージを示す情報を含み、前記画像情報は、当該メッセージを示す画像情報を含んでもよい。
【００２０】
これによれば、各ユーザーは、自分のメッセージをプレゼントの提供対象者に伝達することができる。
【図面の簡単な説明】
【００２１】
【図１】本実施例における情報提供形態の一例を示す図である。
【図２】本実施例における情報提供装置の機能ブロック図である。
【図３】本実施例におけるユーザーデータの一例を示す図である。
【図４】本実施例における状態データの一例を示す図である。
【図５】本実施例におけるバースデイケーキ画像の表示までの処理の流れを示す図である。
【図６】本実施例におけるトップ画像の一例を示す図である。
【図７】本実施例における開始画像の一例を示す図である。
【図８】本実施例におけるアイテム選択画像の一例を示す図である。
【図９】本実施例におけるアイテム選択画像の他の一例を示す図である。
【図１０】本実施例における詳細画像の一例を示す図である。
【図１１】本実施例におけるプレゼント画像の一例を示す図である。
【図１２】本実施例におけるバースデイ当日までの処理の概要を示す図である。
【図１３】本実施例におけるケーキ一覧画像の一例を示す図である。
【図１４】その他の実施例におけるランキング画像の一例を示す図である。
【図１５】その他の実施例における履歴画像の一例を示す図である。
【図１６】その他の実施例における情報提供形態の一例を示す図である。
【発明を実施するための形態】
【００２２】
以下、本発明を複数の携帯電話との通信を行う情報提供装置に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２３】
（第１の実施例）
図１は、本実施例における情報提供形態の一例を示す図である。本実施例では、端末装置の一種である複数の携帯電話２００−１〜２００−ｎがネットワーク３００を介して情報提供装置１００と接続されている。
【００２４】
各携帯電話２００のユーザーは、ＳＮＳに参加しており、友人グループに所属する他のユーザーを友人として情報提供装置１００のデータベースに登録している。また、当該データベースには各ユーザーの誕生日が登録されており、各ユーザーは、友人グループに所属する他のユーザーの誕生日を参照可能であるものとする。
【００２５】
本実施例では、情報提供装置１００は、対象ユーザーの誕生日の１か月前から前日までの間、当該対象ユーザーの友人グループに所属する他のユーザーがプレゼントの一種であるケーキに対して装飾操作を行うことにより、当該ケーキの装飾を変更する機能、当該対象ユーザーの誕生日になった際に、当該装飾を反映したケーキの画像情報を当該対象ユーザーの端末装置に提供する機能等を有している。
【００２６】
次に、このような機能を有する情報提供装置１００の機能ブロックについて説明する。図２は、本実施例における情報提供装置１００の機能ブロック図である。情報提供装置１００は、携帯電話２００との通信を行う通信部１１０と、種々の処理を実行する処理部１２０と、種々のデータを記憶する記憶部１３０を含んで構成されている。
【００２７】
処理部１２０は、種々の判定を行う判定部１２２と、種々の情報を生成する情報生成部１２４と、記憶部１３０内のデータを更新する更新部１２６を含んで構成されている。また、記憶部１３０は、ユーザーデータ１３１、画像データ１３２、状態データ１３３、履歴データ１３４等を記憶している。
【００２８】
ここで、ユーザーデータ１３１と状態データ１３３についてより詳細に説明する。図３は、本実施例におけるユーザーデータ１３１の一例を示す図である。
【００２９】
ユーザーデータ１３１は、友人グループに所属するユーザーごとの設定日等を示すデータである。ユーザーデータ１３１の項目としては、例えば、ユーザーＩＤ、ニックネーム、生年月日（設定日、誕生日）、友人ＩＤ（当該ユーザーと友人関係にあるユーザーのユーザーＩＤ）、アプリ（アプリケーション、アプリケーションソフトウェア）ＩＤ等が該当する。
【００３０】
例えば、図３に示す例では、ユーザーＩＤが「０００１」でニックネームが「あやこ」であるユーザーは、生年月日が１９８５年１０月１４日で、友人のユーザーＩＤが「０００２」、「０００４」等であり、登録しているアプリケーションのＩＤが「ａ０００１」である。ここでは、本実施例のアプリケーション（ケーキの装飾およびケーキ画像の提供を行うソフトウェア）のＩＤが「ａ０００１」であるものとする。
【００３１】
図４は、本実施例における状態データ１３３の一例を示す図である。状態データ１３３は、ユーザーごとのプレゼントの状態等を示すデータである。状態データ１３３の項目としては、例えば、ユーザーＩＤ、ケーキＩＤ、ケーキ種別、装飾人数、装飾値等が該当する。
【００３２】
例えば、図４に示す例では、対象ユーザーのユーザーＩＤが「０００１」のケーキＩＤが「Ｃ００１１」であるケーキは、種別が「ラブポップ」であり、装飾を行った人数が１０人であり、装飾に関するパラメーター値が「５０」である。
【００３３】
なお、情報提供装置１００は、例えば、以下のハードウェアを用いて構成されてもよい。例えば、通信部１１０は、ＬＡＮユニット、ルーター等、処理部１２０はＣＰＵ等、記憶部１３０はＨＤＤ等であってもよい。
【００３４】
また、情報提供装置１００は、情報記憶媒体４００に記憶されたプログラムを読み取って判定部１２２等として機能してもよい。このような情報記憶媒体４００としては、例えば、ＣＤ−ＲＯＭ、ＤＶＤ−ＲＯＭ、ＲＯＭ、ＲＡＭ、ＨＤＤ等を適用できる。
【００３５】
次に、判定部１２２等を用いた処理の流れについて説明する。図５は、本実施例におけるプレゼント画像の表示までの処理の流れを示す図である。また、図６は、本実施例におけるトップ画像５００の一例を示す図である。また、図１２は、本実施例におけるバースデイ当日までの処理の概要を示す図である。
【００３６】
ユーザーは、携帯電話２００を用いて、トップ画像５００におけるアプリケーションの追加ページヘのリンク（例えば、図６では「アプリへのお誘いが１件あります！」および「アプリ」）をクリックし、当該追加ページでアプリケーションを追加する操作を行う。なお、情報提供装置１００は、ユーザーの要求に応じて他のユーザーへのアプリケーションへの招待、ユーザーからアプリケーションへの参加受付等を行ってもよい。
【００３７】
判定部１２２は、通信部１１０からの情報に基づき、アプリケーションを追加する操作情報を通信部１１０が受信したかどうかを判定する（ステップＳ１）。アプリケーションを追加する操作情報が受信された場合、更新部１２６は、当該操作情報を送信したユーザーのユーザーデータ１３１における「アプリＩＤ」を更新し、追加操作のあったアプリケーションのＩＤを追加する（ステップＳ２）。
【００３８】
なお、操作情報には操作情報を送信した携帯電話２００の識別情報（例えば、ユーザーＩＤ等）が含まれるものとする。また、本実施例では、アプリケーションを登録し、かつ、友人関係にあるユーザーのみが装飾操作を行い、プレゼント画像を受け取ることができるものとする。
【００３９】
また、判定部１２２は、通信部１１０からの情報に基づき、アプリケーションを開始する操作情報を通信部１１０が受信したかどうかを判定する（ステップＳ３）。アプリケーションを開始する操作情報が受信された場合、情報生成部１２４は、開始画像を表示するための画像情報を生成し、通信部１１０は、当該画像情報を当該操作情報の送信元の携帯電話２００に送信する。当該携帯電話２００は、当該画像情報に基づき、開始画像を表示する（ステップＳ４）。
【００４０】
図７は、本実施例における開始画像５１０の一例を示す図である。開始画像５１０では、ケーキの詳細ページを表示するためのリンク（ここでは「ケーキ」）、自分の所有アイテムやケーキ等を表示するためのリンク（ここでは「マイページ」）、月ごとに該当する対象ユーザーを表示するためのリンク（ここでは「カレンダー」）、ケーキを渡す対象ユーザーのニックネーム（ここでは「あやこ」）、対象ユーザーの誕生日、装飾可能な残り時間、当該ケーキを装飾中の人数、当該ケーキの状態の簡易画像、装飾操作を行うためのボタン画像、装飾履歴等が表示される。なお、初期状態では、ユーザーデータ１３１に登録された対象ユーザーの好きなケーキ種別を示すデータに応じてケーキの簡易画像が表示されてもよい。
【００４１】
ユーザーが携帯電話２００を用いて装飾操作を行うためのボタン画像を選択することにより、携帯電話２００は、装飾操作を行うためのアイテム選択画像を表示する。なお、装飾操作が可能な期間は、設定日よりも前の任意の期間でよい。本実施例では、装飾操作が可能な期間は、誕生日の１か月前から誕生日の前日までの期間であるものとし、当該期間において、ケーキ画像が付与される対象ユーザーと同一グループに所属するユーザーのみが対象ユーザーのケーキの装飾およびケーキ画像の確認を行うことができ、当該グループに所属しないユーザーは対象ユーザーのケーキの装飾およびケーキ画像の確認を行うことができないものとする。また、本実施例では、ケーキ画像が付与される対象ユーザーは、アプリケーションに参加していない場合はケーキ画像が付与されず、自分のケーキに対する装飾を行うことはできず、上記期間中は自分のケーキ画像の確認を行うことができないものとする。
【００４２】
図８は、本実施例におけるアイテム選択画像５２０の一例を示す図である。また、図９は、本実施例におけるアイテム選択画像５２２の他の一例を示す図である。
【００４３】
例えば、アイテム選択画像５２０では、ケーキを渡す対象ユーザーのニックネーム、装飾可能な残り時間、自分の所有アイテムを表示するためのリンク（ここでは「マイボックス」）、アイテムを購入するためのリンク（ここでは「ショップ」）、対象ユーザーの誕生日、当該ケーキの状態の簡易画像、当該ケーキの状態の詳細画像を表示するためのリンク（ここでは「再生」）、選択中のアイテムの簡易画像、選択中のメッセージの簡易画像等が表示される。
【００４４】
例えば、ユーザーが携帯電話２００を用いて自分の所有アイテムを表示するためのリンクを選択することにより、携帯電話２００は、アイテム選択画像５２２を表示する。アイテム選択画像５２２では、ケーキを装飾するための所有アイテム（例えば、イチゴ、チョコ、クッキー等）を選択するためのリンク、当該ケーキの装飾に使用されたアイテムごとの選択人数等が表示される。なお、ユーザーは、アイテムの購入操作、交換操作等を行うことによって自分の所有アイテムを追加、変更してもよい。この場合、情報提供装置１００は、ユーザーによる電子マネー、所有ポイント等を用いた購入操作等に応じてアイテムをユーザーに提供する（例えば、更新部１２６がユーザーデータ１３１に新たなアイテムを追加する等）。
【００４５】
例えば、ユーザーが携帯電話２００を用いて「イチゴ」を選択することにより、携帯電話２００は「イチゴ」の装飾操作が行われたことを示す操作情報を情報提供装置１００に送信する。なお、当該操作情報には、例えば、ユーザーＩＤ、ケーキＩＤ、アイテムＩＤ等が含まれてもよい。
【００４６】
また、本実施例では、１人のユーザーが１つのケーキに対して装飾可能なアイテムは１つであり、１人のユーザーが可能な装飾操作は１日１回であるものとし、バースデイの１か月前からバースデイ前日の２３時まで装飾操作および装飾中のケーキ画像の確認が可能であり、バースデイの１か月前からバースデイ当日の２３時までケーキに付加するメッセージの作成が可能であるものとする。また、ケーキ画像の付与対象者は、バースデイ当日の０時以降にケーキ画像の確認および装飾者に対するお礼メッセージの作成が可能であるものとする。もちろん、これらの制限は必須ではない。なお、ユーザーは、既に装飾を行った場合であっても、装飾済みのアイテムと異なるアイテムを選択することにより、装飾アイテムを変更したり、複数回の装飾操作を行ったりすることが可能である。
【００４７】
また、ユーザーは、自分が装飾したケーキや自分が受け取ったケーキを参照することが可能である。図１３は、本実施例におけるケーキ一覧画像５７０の一例を示す図である。
ケーキ一覧画像５７０では、自分が装飾したケーキや自分が受け取ったケーキの一覧が簡易的に表示される。ユーザーが所望のケーキを選択することにより、当該ケーキの詳細画像が表示され、ユーザーは、当該画像を装飾の参考にすることができる。なお、ケーキ一覧画像５７０は、ユーザーが選択したカテゴリーに該当するケーキのみを表示する画像、すべてのケーキを表示する画像等であってもよい。
【００４８】
判定部１２２は、通信部１１０からの情報に基づき、装飾操作を示す操作情報を通信部１１０が受信したかどうかを判定する（ステップＳ５）。装飾操作を示す操作情報が受信された場合、更新部１２６は、当該操作情報に基づき、状態データ１３３と履歴データ１３４を更新する（ステップＳ６）。なお、更新部１２６が状態データ１３３を更新するタイミングは、リアルタイムであってもよいし、２４時等の所定の時点であってもよい。
【００４９】
具体的には、例えば、更新部１２６は、状態データ１３３に含まれる装飾を行った合計人数を示すデータ（図４では「装飾人数」）、選択アイテムの選択人数データおよび選択したユーザーを示すユーザーＩＤ一覧データを更新し、履歴データ１３４に装飾操作を行ったユーザーのユーザーＩＤ、操作情報の受信日時、選択アイテム等を示すデータを追加する。
【００５０】
また、例えば、更新部１２６は、図４に示す「装飾人数」の数値が第１の基準値より多いという条件およびグループにおける全ユーザー数に対する当該数値の割合が第２の基準値より多いという条件の少なくとも一方の条件である人数条件を満たす場合、当該人数条件を満たさない場合と比べて「装飾値」を大きくする更新を行ってもよい。この場合、情報生成部１２４は、「装飾値」が大きいほど、ケーキの段数を増やしたり、ケーキの直径を増やしたり、ケーキの装飾を派手（例えば、生クリームの量を増やす等）にしたり、アイテムの装飾を派手（例えば、イチゴに金粉を付加する等）にしたり、ケーキを特殊な形状（例えば、ハート形等）にしたりしてもよい。
【００５１】
また、例えば、アイテム選択画像５２２が表示された状態で、ユーザーが携帯電話２００を用いて「イチゴ」の選択人数である「３人」を選択することにより、携帯電話２００はイチゴの選択人数が選択されたことを示す操作情報を情報提供装置１００に送信する。情報提供装置１００は、当該操作情報、画像データ１３２、状態データ１３３に基づき、イチゴを選択した全ユーザーの一覧を示す画像情報を携帯電話２００に送信し、携帯電話２００は、当該画像情報に基づき、イチゴを選択した全ユーザーの一覧を示す画像を表示する。
【００５２】
また、例えば、アイテム選択画像５２０が表示された状態で、ユーザーが携帯電話２００を用いて「再生」を選択することにより、携帯電話２００は再生が選択されたことを示す操作情報を情報提供装置１００に送信する。情報生成部１２４は、当該操作情報、画像データ１３２、状態データ１３３に基づき、状態データ１３３の最新更新時におけるケーキの状態の動画像を示す画像情報を生成し、通信部１１０は、当該画像情報を、装飾操作を行ったユーザー（第１のユーザー）の携帯電話２００に送信する。携帯電話２００は、当該画像情報に基づき、現時点のケーキの状態を動画像で示す詳細画像を表示する。
【００５３】
図１０は、本実施例における詳細画像５３０の一例を示す図である。詳細画像５３０は、例えば、イチゴ等の装飾アイテムが配置されたケーキの全体を詳細に示す画像である。詳細画像５３０に含まれる動画像は、例えば、クラッカーを鳴らす動画像、背景を点滅させる動画像等であってもよい。なお、装飾順序に応じてケーキにおけるアイテムの配置場所が決定されてもよく、ユーザーごとにケーキにおけるアイテムの配置場所が決定されてもよい。
【００５４】
判定部１２２は、情報提供装置１００に内蔵されたシステムタイマー等で示される現実の日時、ユーザーデータ１３１、状態データ１３３に基づき、設定日に関する条件である設定日条件に該当するユーザーを判定するとともに、当該ユーザーにプレゼントを付与する状態になったかどうかを判定する（ステップＳ７）。
【００５５】
なお、設定日条件は、例えば、現実の月日がユーザーデータ１３１で示される生年月日の月日と一致するユーザーが存在し、かつ、当該ユーザーのユーザーＩＤが状態データ１３３に存在するという条件等である。また、プレゼントを付与する状態は、例えば、現実の日時が上記月日と一致する日の午前０時になった状態等である。
【００５６】
プレゼントを付与する状態になった場合、情報生成部１２４は、状態データ１３３、画像データ１３２に基づき、状態に応じたプレゼント画像を表示するための画像情報を生成し、通信部１１０は、当該画像情報を、プレゼントを付与する対象のユーザー（第２のユーザー）の携帯電話２００に送信する。なお、通信部１１０は、プレゼント画像を表示するためのリンクを示す電子メールを携帯電話２００に送信してもよい。
【００５７】
第２のユーザーの携帯電話２００は、当該画像情報に基づき、プレゼント画像を携帯電話２００の画面に表示する（ステップＳ８）。
【００５８】
図１１は、本実施例におけるプレゼント画像５４０の一例を示す図である。プレゼント画像５４０は、例えば、プレゼント画像５４０を受け取った年月日、ケーキの簡易画像、ケーキの詳細画像を表示するためのリンク、ケーキの装飾の参加人数、参加者の一覧画像を表示するためのリンク、当該参加者が入力したメッセージの件数、当該メッセージを表示するためのリンク、ケーキの装飾回数、ケーキの装飾履歴画像を表示するためのリンク等を示す画像である。
【００５９】
例えば、プレゼント画像５４０が表示された状態で、ユーザーが携帯電話２００を用いて「再生」を選択することにより、詳細画像５３０と同様の動画像が携帯電話２００の画面に表示される。
【００６０】
なお、第２のユーザーがプレゼント画像５４０を表示した場合、第１のユーザーの携帯電話２００のトップ画像５００等に第２のユーザーがケーキを受け取ったこと、受け取った日時等を示す事項が表示されてもよい。
【００６１】
以上のように、本実施例によれば、情報提供装置１００は、グループに所属する各ユーザーの装飾操作に応じて状態データ１３３を更新し、状態データ１３３に応じてプレゼント画像５４０を生成することができる。これにより、グループに所属する各ユーザーは、協力して誕生日におけるプレゼントに対する装飾操作を行い、当該装飾操作に応じて装飾物の付加されたプレゼント画像５４０を提供対象のユーザーに提供することができる。
【００６２】
また、本実施例によれば、情報提供装置１００は、装飾操作を行った人数が多いほど装飾に関するパラメーター値を増加させることができるため、各ユーザーに装飾操作を行わせる誘因を与えることができる。
【００６３】
また、本実施例によれば、情報提供装置１００は、１人のユーザーが装飾可能なアイテムを１つに限定することにより、ユーザーに対して友人を増やす誘因を与えることができる。また、本実施例によれば、情報提供装置１００は、アプリケーションを登録し、かつ、友人関係にあるユーザーのみが装飾操作やプレゼント画像５４０の受け取りを行うことができるため、ユーザーに対して友人を増やし、アプリケーションの登録を行わせる誘因を与えることができる。これらにより、情報提供装置１００は、ＳＮＳを十分に活用することができる。
【００６４】
また、本実施例によれば、情報提供装置１００は、プレゼント画像５４０にメッセージのリンクを付加することにより、各ユーザーに各ユーザーのメッセージをプレゼントの提供対象者に伝達させることができる。
【００６５】
（その他の実施例）
なお、本発明の適用は上述した実施例に限定されず、種々の変形が可能である。例えば、情報生成部１２４は、状態データ１３３で示される装飾人数、装飾値、総アイテム数、人気度合い等に応じて順位付けを示す画像情報を生成してもよい。例えば、ユーザーは、人気度合いに応じた画像を参照することにより、どのようにアイテムを配置すればよいか参考にすることができる。
【００６６】
図１４は、その他の実施例におけるランキング画像５５０の一例を示す図である。例えば、ランキング画像５５０では、総アイテム数に応じた順位、ケーキの状態を示す簡易画像、ケーキの大きさ、総アイテム数等がケーキごとに表示される。
【００６７】
また、例えば、情報生成部１２４は、履歴データ１３４に基づき、装飾履歴を示す画像情報を生成してもよい。
【００６８】
図１５は、その他の実施例における履歴画像５６０の一例を示す図である。履歴画像５６０では、装飾の行われた日付（当日の場合は時刻）、装飾を行ったユーザー名、装飾アイテム名等が日付の降順で表示される。
【００６９】
また、例えば、情報生成部１２４は、状態データ１３３のケーキ種別、装飾アイテムの割合等に応じてケーキの色、ケーキの形状、ケーキの背景の絵柄、色等を決定してもよい。例えば、情報生成部１２４は、すべての装飾アイテムがラブポップ等の同一カテゴリーのアイテムである場合、ケーキの形状を特殊な形状（例えば、ハート形、星形、花形、四つ葉のクローバー形等）にしたプレゼント画像を示す画像情報を生成してもよい。
【００７０】
また、例えば、情報生成部１２４は、ユーザーデータ１３１に基づき、ユーザーの属性（例えば、住所、年齢、生年月日、性別、所属するグループ、趣味等）に応じて選択可能なアイテムを決定してもよい。例えば、情報生成部１２４は、プレゼント対象者の生年月日の月と同じ月に生まれたユーザーのみ選択可能なアイテムを示すアイテム選択画像を生成してもよい。
【００７１】
また、例えば、情報生成部１２４は、ユーザーが作成したケーキの画像、当該ユーザーが受け取ったケーキの画像等を当該ユーザーのプロフィールを示すトップ画像５００等として生成してもよい。
【００７２】
また、設定日は、誕生日に限定されず、例えば、結婚記念日等のユーザー固有の記念日、クリスマス等の各ユーザー共通のイベント日等であってもよい。また、付与対象物は、ケーキに限定されず、例えば、クリスマスツリー、指輪等の装飾品、プレゼントを入れる箱等であってもよい。また、付与対象物に対する操作は、装飾操作に限定されず、例えば、付与対象物の形状の変更等の加工操作であってもよい。
【００７３】
また、各ユーザーが所属するグループは、ＳＮＳにおける友人グループに限定されず、例えば、会社、学校等の組織における全社員、同一部署、同一学年、同一クラス等のグループであってもよい。
【００７４】
また、対象ユーザーのプレゼントに対する装飾が可能なユーザーは、あらかじめ設定されたグループに所属するユーザーに限定されず、例えば、近距離無線通信で通信可能な範囲内に位置している端末装置を操作しているユーザー等であってもよい。
【００７５】
また、プレゼントを付与する状態は、現実の日時が生年月日の月日と一致する日の午前０時になった状態に限定されず、例えば、プレゼントの装飾が完了した状態、グループに所属するユーザーの内、所定割合以上または所定人数以上のユーザーが装飾操作を行った状態等であってもよい。また、ユーザーデータ１３１にユーザーごとの付与条件（例えば、試験に合格したという条件、ゲームのランキングが１０位以内になったという条件等）を示す付与条件データが記憶され、判定部１２２は、当該付与条件データに基づき、プレゼントを付与する状態になったかどうかを判定してもよい。
【００７６】
また、端末装置は、携帯電話２００に限定されず、例えば、携帯型情報端末、ＰＣ（Personal Computer）、ゲーム装置等であってもよい。また、情報提供装置１００は、単体の装置に限定されず、複数の装置（例えば、課金サーバー、認証サーバー、データベースサーバー等）で構成されてもよい。
【００７７】
なお、課金サーバーの使用形態は、クライアントサーバー型でもピアツーピア型でもよく、上述した装飾アイテムやケーキ等の付与対象物の購入、交換等の際に課金が行われてもよい。
【００７８】
図１６は、その他の実施例における情報提供形態の一例を示す図である。ここでは、３台の携帯電話２０１−１〜２０１−３が相互に無線通信可能なピアツーピア型で接続されており、各携帯電話２０１は、上述した情報提供装置１００の機能の一部を有してもよい。例えば、通常の場合、各携帯電話２０１は、相互に操作情報を送受信し、内部に記憶された状態データ１３３等を更新してもよい。新たなアイテムを購入する場合、携帯電話２０１は、ネットワーク３００を介して情報提供装置１０１に接続し、所有ポイント等を使用して新たなアイテムを示すデータを情報提供装置１０１から受信し、携帯電話２０１に記憶されたユーザーデータ１３１等に当該データを追加することにより、新たなアイテムを用いた装飾操作等を行ってもよい。
【符号の説明】
【００７９】
１００、１０１  情報提供装置
１１０  通信部
１２０  処理部
１２２  判定部
１２４  情報生成部
１２６  更新部
１３０  記憶部
１３１  ユーザーデータ
１３２  画像データ
１３３  状態データ
１３４  履歴データ
２００、２０１  携帯電話
３００  ネットワーク
４００  情報記憶媒体
５００  トップ画像
５１０  開始画像
５２０、５２２  アイテム選択画像
５３０  詳細画像
５４０  プレゼント画像
５５０  ランキング画像
５６０  履歴画像
５７０  ケーキ一覧画像
【図１】
0005462586.tif 000002
【図２】
0005462586.tif 000003
【図３】
0005462586.tif 000004
【図４】
0005462586.tif 000005
【図５】
0005462586.tif 000006
【図６】
0005462586.tif 000007
【図７】
0005462586.tif 000008
【図８】
0005462586.tif 000009
【図９】
0005462586.tif 000010
【図１０】
0005462586.tif 000011
【図１１】
0005462586.tif 000012
【図１２】
0005462586.tif 000013
【図１３】
0005462586.tif 000014
【図１４】
0005462586.tif 000015
【図１５】
0005462586.tif 000016
【図１６】
0005462586.tif 000017